(57)【特許請求の範囲】
【請求項１】
内部に水平に配置された複数の金型（３）と複数のパンチ（３'）を収容するための成形プレスハウジング（２）を備えた安全装置付き部品成形プレス装置において、
前記ハウジング（２）を画定する壁（４）に、スライド自在のスライド（７）を支える上側水平案内部（６）が設けられ、
前記スライド（７）が、シリンダ状の駆動部（９）を介して、支点（２０）に支持されかつシリンダ状の駆動部（１２）によって駆動される第１の回転可能な板（１０）を支え、かつ、
前記スライド（７）が、前記支点（２０）に支持されかつ別のシリンダ状の駆動部（１４）によって駆動される第２の回転可能な板（１１）を支える
ことを特徴とする安全装置を備えた部品成形プレス装置。
【請求項２】
前記壁部（４）に向かい合う、前記ハウジング（２）を画定する壁部（５）に、内部段差（８）が設けられて、水平位置における前記板部（１０）の自由端を受けることを特徴とする請求項１に記載の安全装置を備えた部品成形プレス装置。
【請求項３】
前記第１の板（１０）が、Ｚ形の構造部分（１３）により支えられていることを特徴とする請求項２に記載の安全装置を備えた部品成形プレス装置。
【請求項４】
前記第２の板（１１）が、水平位置において、前記ハウジング（２）を画定する壁（５）の上部で受けられることを特徴とする請求項３に記載の安全装置を備えた部品成形プレス装置。
【発明の詳細な説明】
【技術分野】
【０００１】
本発明は、部品の成形のためのプレス装置に関するものである。機械の空間に水平に配置された連続する金型のプレス装置である。金型により、部品の成形のための型や金型の補助により、未加工物から、規格品へ徐々に成形される。
【背景技術】
【０００２】
この種の成形のためのプレス装置は、その従来技術により知られている。金型は、大型のプレス装置において、広さと奥行きのあるところに配置される。機械の空間は、その構造上、上部をオープンにすることは、金型で成形された工具の調節のために不可欠である。工具の取り替え時、操作員はプレス装置に近づかなければならない。取り替えの前には、プレス装置を停止しなければならない。プレス装置の確認をせずに近づいたために起こる重大事故を防ぐためである。
【発明の概要】
【発明が解決しようとする課題】
【０００３】
残念なことに、事故の要因は不変であることが多く、安全規則に従わず、機械に従事したものはプレス装置を停止しない。操作員によっては、調節のため、装置の間をゆっくり移動することを必要とされていることもある。一般的には装置について稼働中、操作員に危険が及ばないよう安全規定にはあらかじめ工夫をする必要がある。もっとも、規則を遵守しても、設備、例えばプレス装置の型などの点検時に確認できる危険な状況をすべて回避することはできない。上記の回避できない危険は、金型そばの作業場内の動きが困難である点、およびその作業場に油や汚物、金属の削りくずが存在しているという点に関係する。
【０００４】
本発明の目的は、したがって、従来の技術による不便を解消するため、成形のためのプレス装置の道具付近に近づくことを可能にし、操作員は、危険にさらされることなく、プレス装置の空間に入らなくてすむ安全装置を提供するものである。
【０００５】
本発明の他の目的は、スリップ、つまずき、転倒の危険をできるだけ減らすため、装置の道具ゾーンへのアクセスが容易であり安全である事実により認められるものである。本発明の他の目的は、装置を操作する者が滑る危険をもたらすカバー面が油により汚れることを防ぐことである。
【課題を解決するための手段】
【０００６】
上記課題を解決するためになされた請求項１に記載の発明は、ハウジングと、前記ハウジング内に水平に配置された、複数の金型と複数のパンチとを有している、安全装置を備えた部品成形プレス装置において、前記ハウジングを規定する壁部には、その上側に、移動可能なスライドが設けられた水平案内部が設けられ、そして、前記スライドには、シリンダ状の駆動部により駆動される、支点に対して回転可能に取り付けられた第１の板と、シリンダ状の駆動部により駆動される、前記支点に対して回転可能に取り付けられた第２の板と、が設けられていることを特徴とする、安全装置を備えた部品成形プレス装置に存する。
【０００７】
シリンダ状の駆動部は、水圧シリンダ、空気シリンダ、ねじ・雌ねじあるいは、類似の装置を意図する。
【０００８】
本発明により実現されるプレス装置の新たな特徴は、以下の明細書、従属請求項および添付図面により明らかにされる。また、本発明により理解される目的は、実施例として添付の図面により詳細に記述される。
【図面の簡単な説明】
【０００９】
【図１】本発明の実施形態に係る、安全装置が設けられた成形の金型を有する成形するためのプレス装置を、前記安全装置が停止状態とされた状態で示した図である。
【図２】安全手段が停止位置から起動位置に保持された状態として示されている、図１の安全装置を備えた部品成形プレス装置を示す図である。
【図３】第１の安全手段が動作位置とされた状態における図１に示す装置を示した図である。
【図４】両方の安全手段が動作位置とされた図１の安全装置を備えた部品成形プレス装置を示す図である。
【図５】垂直静止位置および水平動作位置における第２の安全手段を備えた安全装置を備えた部品成形プレス装置の空間を示す概略図である。
【図６】回転可能な板によって閉じられた、安全装置を備えた部品成形プレス装置の空間を示す概略側面図である。
【発明を実施するための形態】
【００１０】
以下、本発明の一実施形態に係る安全装置を備えた部品成形プレス装置を、図１ないし４を参照して説明する。安全装置を備えた部品成形プレス装置の部分を示したものであるが、ここでは、総括して参照符号１で示すことにする。
【００１１】
図１に示すように、安全装置を備えた部品成形プレス装置１（以下、「プレス装置１」という）には、比較的深い空間（符号２で示す）が設けられている。このプレス装置１の空間（以下、「ハウジング２」という）は、水平面において、一連の金型３を保持しており、この金型３は、成形品の連続成形のため、図示しないパンチ’と協働するように構成されている。
【００１２】
供用（すなわち装置の操作のために供せられる）ハウジング２を設けること、金型３それ自体の位置決め、および、各金型３に対応する成形パンチ３’については、公知の技術を用いて適宜実現しうるものである。
【００１３】
ハウジング２は、プレス装置１の本体の肩部４、５によって規定され、肩部４、５は、図１に示すように、所定の量Ａの程度だけ、互いに離隔して設けられている。
【００１４】
壁部４は、好適には、符号６で示す水平ガイドを備えている。
【００１５】
水平ガイド６の上を、水平面において、符号７で示す１つの堅固なスライドが移動することができる。
【００１６】
壁部５は、壁部４と対向して、後述するところの、第１の板１０の自由端を支持するための段部８を有している。
【００１７】
図１に示すように、スライド７は、駆動部９の補助部であって、２つの平板（すなわち第１の板１０および第２の板１１）が、ハウジング２への自由なアクセス（Ａ）を妨げないような態様にて、レシプロカルに動作するように構成されている。
【００１８】
まず、第１の板１０（すなわち第１の安全手段）の操作を説明する。シリンダ状の駆動部９を起動すると、図２に示すように、スライド７が、水平ガイド６上の部分に進むようになっており、第１の板１０および第２の板１１が、プレス装置１のハウジング２の上方に位置付けられるようになっている。
【００１９】
シリンダ状の駆動部１２を起動すると、図３に示すように、回転可能な第１の板１０が、支点２０に支持されて、水平位置に回転され、下方の空間２をインターセプトする。
【００２０】
第１の板１０は、その自由端がガイド５の内部に設けられた段部８の上に接した状態で、この水平位置において支持される（図３参照）。
【００２１】
第１の板１０が水平位置に置かれているとき、図示されているように、操作員が、安全な位置で、調節や交換、金型３およびパンチ３’などのツールを操作できる。したがって、操作員が深い空間２の中に進入する必要がなく、かくして、危険な作業をなくすこともできる。
【００２２】
有利には、第１の板１０は、Ｚ形の構造部分１３によって支持されている。したがって、第１の板１０がハウジング２の内側の若干低い方の位置に配されるので、操作員が作業または金型３およびパンチ３’の調節を容易に行える。
【００２３】
次に、第２の板１１（すなわち第２の安全手段）の動作を説明する。シリンダ・ピストンユニット１４を起動すると、図４に示すとおり、回転可能な第２の板１１もまた、垂直な位置からオシレート（つまり振動）するようになり、図１、図２および図３に示すように水平位置において、安全をもって、ガイド５の頂点の上に支持され、これにより、金型３と図示しないパンチ３’とを安全に保持することができる。
【００２４】
図５において、回転可能な第２の板１１の正面図を概略的に示したが、これは、動作位置である水平位置において、金型３と図示しないパンチ３’の上方のハウジング２を完全にふさぎ、両要素の妨げとなることなく、（作業をするための）好適な板を実現することができる。
【００２５】
図６に、回転可能な第２の板１１が操作員に容易に使用され、該板の水平位置においてカム２１のグリップ２２が交換および調節される、ことが示される。
【００２６】
シリンダ状の駆動部９の操作とともに、スライド７、第１の板１０、回転可能な第２の板１１は、垂直な位置にし、（図２）の回転位置（ｆ）に移される。
【００２７】
シリンダ状の駆動部１２を動かし、回転可能な第１の板１０は、垂直位置から水平位置へ移動し、（図３）のプレス装置のハウジング２に遮断する。
【００２８】
最後にシリンダ状の駆動部１４を可動させ、回転可能な第２の板１１は、垂直位置から水平位置へ移動し、（図４）の金型３及びパンチ３’が動作しているハウジング２を遮断する。
【００３０】
なお、本実施形態は、その代表的な例を示したに過ぎず、本発明は、その趣旨を逸脱しないかぎりにおいて、種々変形して実施することができる。
【符号の説明】
【００３１】
１  プレス装置
２  ハウジング（空間）
３  金型
３’  パンチ
４  壁部
５  壁部
６  水平ガイド
７  スライド
８  段部
９  駆動部
１０  第１の板（第１の安全手段）
１１  第２の板（第２の安全手段）
１２  駆動部
１３  Ｚ形の構造部分
１４  駆動部
【図１】
0005547430.tif 000002
【図２】
0005547430.tif 000003
【図３】
0005547430.tif 000004
【図４】
0005547430.tif 000005
【図５】
0005547430.tif 000006
【図６】
0005547430.tif 000007